(57)【要約】  本発明は、好ましくは、電子写真式に動作する印刷機のために、印刷機の出力トレイ内の印刷ジョブを分割するための方法に関する。印刷ジョブが稼働しているとき、初めに、シートはトレイの傾斜支持体上に出力され、次に、シートは出力トレイの当接部に対してスライドする。印刷ジョブの終了後、次の印刷ジョブが稼働する前、分割シートがトレイ内に配置されるシートの積重ね上に配置される。分割シートの変形部が前の印刷ジョブによって形成される積重ねに対して下支えされることが可能であるよう、分割シートの出力前に、分割シートにはフック形状の変形部が付与される。印刷機のために印刷ジョブを分割するために使用される分割シートの生成のための装置も提供され、該装置は印刷機のシート経路の一体的な部分であり、シートの部分地域の打抜き及び変形のためのスタンプを備えるパンチ型の変形ユニットを含む。
2012522699.tif 000002
【特許請求の範囲】
【請求項１】
印刷機の出力トレイ内の印刷ジョブを分割する方法であって、
シートが当接部に対してスライドするよう、前記出力トレイの傾斜支持体の上に前記シートを出力するステップと、
前記出力トレイ上の前記シートによって形成される積重ね上に分割シートを出力するステップとを含み、
前記分割シートの出力前に、フック形状の変形部が前記分割シートに付与され、前記変形部は、前記当接部の方向にスライドするとき、前記積重ねを自ら下支えすることを特徴とする、
方法。
【請求項２】
前記分割シートは、前記出力トレイ上に出力されるとき、前記シートによって形成される前記積重ねを越え、引き続き、前記当接部に向かう更なるスライドを防止するために、前記分割シートに付与される前記フック形状の変形部が前記積重ねの一方の側に対して下支えされた状態で、前記当接部の方向に後退することを特徴とする、請求項１に記載の方法。
【請求項３】
前記フック形状の変形部は、前記当接部に対する中心において、前記分割シートのスライド方向に対して横方向に付与されることを特徴とする、請求項１又は２に記載の方法。
【請求項４】
前記フック形状の変形部は、前記分割シートの後方３分の１において、特に、後方４分の１において、前記当接部に対する前記分割シートのスライド方向において付与されることを特徴とする、請求項１乃至３のうちのいずれか１項に記載の方法。
【請求項５】
前記積重ねへの出力前に、前記分割シートは情報フィールドを備えて印刷され、該情報フィールドは、前記分割シートの横方向縁部と前記変形部との間に配置されることを特徴とする、請求項１乃至４のうちのいずれか１項に記載の方法。
【請求項６】
前記分割シート上に印刷される前記情報フィールドは、少なくともジョブの名称、版、又は、シート特性に関する情報を含むことを特徴とする、請求項５に記載の方法。
【請求項７】
前記分割シートのフォーマットは、他のシートのフォーマットと同じであることを特徴とする、請求項１乃至６のうちのいずれか１項に記載の方法。
【請求項８】
前記フック形状の変形部は、特に、前記印刷機の前記輸送ローラの間で、前記分割シート内に偏心して、付与されることを特徴とする、請求項１乃至７のうちのいずれか１項に記載の方法。
【請求項９】
前記フック形状の変形部は、前記分割シートの輸送動作中に、前記分割シートの輸送動作と共に付与されることを特徴とする、請求項１乃至８のうちのいずれか１項に記載の方法。
【請求項１０】
前記フック形状の変形部は、回転スタンプを用いて前記分割シートに付与されることを特徴とする、請求項１乃至９のうちのいずれか１項に記載の方法。
【請求項１１】
前記スタンプは、シート輸送速度と同期して回転されることを特徴とする、請求項１１に記載の方法。
【請求項１２】
前記フック形状の変形部は、前後に移動可能なスタンプを用いて前記分割シートに付与されることを特徴とする、請求項１乃至９のうちのいずれか１項に記載の方法。
【請求項１３】
印刷機内の印刷ジョブを分割する分割シートを生成する装置であって、
当該装置は、前記印刷機のシート経路内に統合され、分割シートの部分地域を打ち抜き且つ変形するためのスタンプを備える、少なくとも１つのパンチ型の変形ユニットを含む、
装置。
【請求項１４】
前記スタンプを電気的に又は空気圧的に移動し得ることを特徴とする、請求項１３に記載の装置。
【請求項１５】
基材が前記スタンプの反対側に設けられることを特徴とする、請求項１３又は１４に記載の装置。
【請求項１６】
前記スタンプは、少なくとも１つの切断縁部を有することを特徴とする、請求項１３乃至１５のうちのいずれか１項に記載の装置。
【請求項１７】
前記スタンプは、Ｖ形状に配置される切断縁部を有することを特徴とする、請求項１３乃至１５のうちのいずれか１項に記載の装置。
【請求項１８】
前記スタンプは、打抜き動作を行うために往復運動を行うことを特徴とする、請求項１３乃至１７のうちのいずれか１項に記載の装置。
【請求項１９】
前記スタンプをシート輸送方向及びシート平面に対して直交する方向に移動し得ることを特徴とする、請求項１３乃至１８のうちのいずれか１項に記載の装置。
【請求項２０】
前記パンチ型の変形ユニットは、回転可能な素子を含み、前記スタンプは前記回転可能な素子の上に設けられることを特徴とする、請求項１３乃至１７のうちのいずれか１項に記載の装置。
【請求項２１】
前記回転可能な素子の部分地域は、凹まされることを特徴とする、請求項２０に記載の装置。
【請求項２２】
前記パンチ型の変形ユニットは、特に、前記印刷機の前記輸送ローラの間に、偏心して配置されることを特徴とする、請求項１３乃至２１のうちのいずれか１項に記載の装置。
【請求項２３】
請求項１３乃至２２のうちのいずれか１項に記載される分割シートを生成するための装置を含み、少なくとも１つの印刷ユニットと、当接部に向かって傾斜される支持体を備える出力トレイとを備える、少なくとも１つの印刷ユニットを備えるシート印刷機。
【発明の詳細な説明】
【技術分野】
【０００１】
本発明は、シート処理機、具体的には、印刷機、好ましくは、電子写真式に動作する印刷機のために印刷ジョブを分割するための装置及び方法に関する。
【背景技術】
【０００２】
多数のコピーで印刷される別個の又は同一の印刷ジョブを印刷するとき、使用者が排出時に前記印刷ジョブを分離すること、及び、１つの印刷ジョブがどこで終了し次の印刷ジョブがどこで開始するかを特定することが望ましい。これに関して、ジョブを分割するための幾つかの可能性が知られている。
【０００３】
例えば、お互いに重なり合う印刷ジョブシートの間に分割シートを介在させることができ、分割シートのフォーマットは分割されるべき印刷ジョブシートのフォーマットと異なり、具体的には、より大きなフォーマットを有する。印刷機の自動化された動作を保証するために、分割シートを印刷機内に配置されるフィーダから輸送するのが実用的である。しかしながら、分割シートは生成されるべき印刷ジョブのフォーマットと異ならなければならないので、フィーダは印刷ジョブの価値付加機能に関与せずにフィーダ内の場所を占める分割シートで今や充填され、よって、印刷機の生産性を低下する。何故ならば、減少された数の利用可能なフィーダの故に、残余のフィーダはより頻繁に充填されなければならないからである。
【０００４】
その上、出力トレイに印刷ジョブを輸送する可能性があり、出力トレイは扇状に配置される幾つかのトレイで構成され、既知であるように、例えば、コピー機から各トレイ内に単一の印刷ジョブを受け取る。このように構成される出力トレイは有意により高価であり、単純なプレート状トレイよりも紙詰まりにより晒される。加えて、比較的密閉した空間内に扇状に配置されるプレート状トレイの数の故に、それらのそれぞれの高さの積重ねは限定的であり、よって、ページ数の観点では大きな印刷ジョブの出力を阻害する。
【０００５】
その上、前ジョブの終了位置と異なる出力トレイ上の終了位置に個々の印刷ジョブを案内するために、出力トレイの横方向ガイドを横方向に移動することが知られている。一方では、そのような変更は高価であり、他方では、それは追加的な基板の使用及び印刷シートのフォーマット範囲の観点から問題を包含する。
【０００６】
その他に、他の種類の出力トレイ、例えば、その動作原理の故にシートが輸送方向に対して横方向にシフトされることを可能にする、回転式又は往復動式のトレイを使用することが可能である。これらの出力トレイは、言わば、オフセット印刷を用いて印刷ジョブ分割の機能を充足し得る。しかしながら、それらはプレート状の出力トレイよりも有意により高価である。
【発明の概要】
【発明が解決しようとする課題】
【０００７】
結果的に、シート印刷機のプレート状のトレイに連続的に送り込まれるべき異なる又は同一の印刷ジョブの簡単な分割を可能にする装置及び方法を提供することが本発明の目的である。
【課題を解決するための手段】
【０００８】
方法に関して、この目的は請求項１の特徴によって本発明に従って達成される。更に、装置に関して、この目的は請求項１３の特徴によって本発明に従って達成される。本発明の追加的な実施態様は従属項中に記載される。
【０００９】
本発明の好適実施態様によれば、印刷機の出力トレイ内の印刷ジョブを分割するための方法が提供され、そこでは、印刷ジョブが稼働されるとき、初めに、シートは出力トレイの傾斜支持体上に出力され、引き続き、シートは出力トレイの当接部に対してスライドする。印刷ジョブの完了後、次の印刷ジョブの稼働前、分割シートが出力トレイ内に配置されるシートの積重ねの上に配置され、それによって、分割シートの出力前、分割シートはフック形状の変形部を付与されるので、分割シートの変形部が前の印刷ジョブによって形成される積重ねに下支えされる(propped  up  against  the  stack)。この結果、分割シートは下方の積重ねの残余のシートから突出し、印刷ジョブの終端の容易な特定を可能にする。分割シートは、その上に引き続き堆積される印刷ジョブのシートからも突出し、よって、前記印刷ジョブ間の明らかな分離を印す。分割シートの排出は、複数の連続的な印刷ジョブの間に起こり得る。
【００１０】
好ましくは、出力トレイに送られるとき、分割シートは、供給済みシートによって前に形成された積重ねを越え、引き続き、当接部の方向に後退（スライドバック）する。次に、変形部が積重ね縁部と接触するようになり、更なる後退を阻止するときに、分割シートのフック形状の変形部は積重ねに下支えされる。
【００１１】
例えば、分割シートが確実に保持されことを保証するために、並びに、分割シートが下方のシートの積重ねに対してシフトすることを防止するために、分割シート内のフック形状の変形部を中央に付与し得る。
【００１２】
シート経路を離れた後、一部のプレート状出力トレイは、積重ねの正確性を向上するために、能動的に制御される一対のローラでシートを遅らせるので、フック形状の変形部が、変形部の下に形成される積重ね縁部を確実に越え得るよう、変形されて分割シートになるシートを余り厳格ではなく減速することが必要であり得る。フック形状の変形部を付与することによって、プレート状のトレイ上に降下するシートが積重ね案内平面まで後退することが防止される。よって、分割シートは、分割シートの下にある前の印刷ジョブの積重ねを越えて突出し、その上に形成されるべき後続の印刷ジョブの積重ねを越えても突出する。
【００１３】
その上、変形されるべきシートを使用者に向けられる情報フィールド内に印刷してもよく、その場合、シート上に印刷される情報フィールドは、例えば、ジョブ名称、版、又は、シート特性等に関する情報を含み得る。好ましくは、分割シートのフォーマットは、印刷ジョブのために使用される他のシートのフォーマットと同じである。従って、分割シートとして使用されるシートを、同じフィーダ又は同じシートフォーマットを使用する他のフィーダから輸送し得る。従って、別個の特別に提供される印刷機のフィーダから分割シートを輸送する必要はない。この結果、印刷機の生産性の向上が達成される。
【００１４】
分割シート内のフック形状の変形部は、好ましくは、例えば、シート輸送方向に対して横方向において、隣接する対の輸送ローラの間に、印刷機の輸送ローラに対して偏心して付与される。これは、分割シートが供給されるときに、分割シート内にパンチ型の変形ユニットによって付与されるフック形状の変形部が輸送ローラと接触するようにならないことを保証する。従って、分割シートのフック形状の変形部は、出力トレイ上への分割シートの出力中にその形状を保持するので、分割シートは、前の印刷ジョブによって形成される積重ねに対して下支えされ得る。
【００１５】
加えて、分割シートの移動中及び分割シートの移動と共にも、フック形状の変形部を付与し得る。これは、例えば、トレイへのシートの移動を阻害することなく、パンチ型の変形ユニットを往復動しなければならない速度の減少を可能にし得る。パンチ型の変形ユニットの動作の所要速度は、印刷機のシート経路に沿うシート速度に起因する。結果的に、打抜き及び変形操作の故のシートの減速は望ましくない。よって、輸送方向における分割シートの動作を伴うパンチ型の変形ユニットの動作の故に、打抜き及び変形操作は、分割シートに対して直交する方向において、パンチ型の変形ユニットの厳格な往復運動よりも低い速度で起こり得る。
【００１６】
本発明の１つの実施態様によれば、回転式のパンチ型の変形ユニットを用いてフック形状の変形部を分割シートに付与可能であり、例えば、打抜き及び変形操作が行われるときに、変形ユニットはシート速度と同期して回転される。
【００１７】
代替的に、本発明の更なる実施態様によれば、往復動し得るパンチ型の変形ユニットを用いてフック形状の変形部を分割シートに付与し得る。往復運動に加えて、そのようなパンチ型の変形ユニットは、シート輸送方向においても移動を行い得る。
【００１８】
その上、本発明の好適実施態様によれば、印刷機のために印刷ジョブを分割するための装置が提供され、当該装置は印刷機のシート経路の一体的な部分であり、シートの部分地域を打ち抜き且つ変形するスタンプを備えるパンチ型の変形ユニットを含む。
【００１９】
例えば、打抜き動作のために、スタンプを電気式又は空気圧式の駆動装置と結合し得る。スタンプの下に基材（マトリックス）を設け得る。基材はスタンプに対する対向部分として作用し、よって、シートの精密な打抜き及び変形を可能にする。しかしながら、基材は必ずしも必要ではない。印刷機内のシートは両側で輸送ローラによって所定位置に保持されるのが普通であるという事実の故に、シートは張力を示し、それは、そのために提供されるスタンプのみの適用でさえも、打ち抜き且つ変形することを可能にする。
【００２０】
好ましくは、スタンプは少なくとも１つの切断縁部を有する。スタンプが１つだけの切断縁部を備えるならば、分割シートを中央ではなく側部で切断し、引き続き、変形し得る。本発明の好適実施態様によれば、スタンプはＶ形状である。しかしながら、変形される部分地域がフックを形成し、シート上に留まる限り、即ち、完全に打ち抜かれない限り、スタンプがそれと異なる形状を有することも着想可能である。
【００２１】
打抜き操作を行うためにパンチ型の変形ユニットが直線的な往復運動を行うよう、パンチ型の変形ユニットを構成し得る。打抜き及び変形操作中にパンチ型の変形ユニットによって引き起こされる遅れを避けるために、パンチ型の変形ユニットが極めて短いならば有利であり、例えば、これはピエゾ素子の使用で達成可能である。
【００２２】
加えて、例えば、パンチ型の変形ユニットをシート輸送方向及びシート平面に対して直交する方向に移動することが可能であり得る。この結果、パンチ型の変形ユニットの動作をシート速度と同期することが可能である。これは、例えば、打抜き及び変形操作中にパンチ型の変形ユニットが前後に移動されなければならない速度を減少することを可能にする。パンチ型の変形ユニットの動作の所要速度は、印刷機のシート経路に沿うシート速度に起因する。概して、この場合には、打抜き及び変形操作の故のシートの減速は望ましくない。よって、輸送方向における分割シートの移動を伴うパンチ型の変形ユニットの動作の故に、打抜き及び変形操作は、分割シートに対して直交する方向におけるパンチ型の変形ユニットの厳格な往復運動よりも低い速度で起こり得る。
【００２３】
代替的に、パンチ型の変形ユニットは、例えば、ローラのような回転可能な素子を含んでもよく、ローラ上にはスタンプが設けられる。好ましくは、打抜き及び変形操作が行われるとき、対応する駆動装置を介して、回転可能な素子をシート輸送速度と同期して回転可能である。回転可能な素子は、シートが自由に通過し且つ打抜き動作が行われないときに位置付けられる開始位置又は休止位置を有する。打抜き操作が行われるならば、パンチ型の変形ユニットは、パンチ型の変形ユニットが打抜き操作を開始し、パンチ型の変形ユニット上に配置されるスタンプがシート速度と同期して回転し、シートを所望位置で打抜き且つ変形するような方法で、機械制御装置によって作動される。例えば、ローラの位置に依存して、印刷ジョブの稼働中にローラがシートと接触するようにならないよう、ローラの部分地域をセグメント付きローラの形態において凹ませ得る。
【００２４】
好ましくは、パンチ型の変形ユニットは、印刷機の輸送ローラに対して偏心(offset)され、具体的には、シート輸送方向に対して横方向に隣接する対の輸送ローラの間に配置される。分割シートが供給されるとき、これはパンチ型の変形ユニットによって付与されるフック形状の変形部が輸送ローラと接触するようにならないことを保証する。よって、分割シートが出力トレイに送られるとき、分割シートのフック形状の変形部はその形状を保持するので、分割シートは前の印刷ジョブによって形成される積重ねに対して下支えされ得る。
【００２５】
印刷ジョブを分割するための装置はシート印刷機内に収容され、シート印刷機は、印刷ジョブを分割するための装置の下流に、傾斜部及び当接部を備えるプレート状の出力トレイを含む。
【００２６】
概略図は本発明の実施態様を示し、実施態様から追加的な発明的な特徴が生まれ得るが、それは本発明の範囲を制限しない。
【図面の簡単な説明】
【００２７】
【図１】部分的に打ち抜かれ且つフック形状に曲げられる部分地域を有する分割シートを示す平面図である。
【図２】図１におけるような分割シートを示す側面図である。
【図３】図１におけるような２つの分割シートによって分離される３つの異なる印刷ジョブで充填されたプレート状の出力トレイを示す側面図である。
【図４】本発明の第一実施態様に従ったパンチ型の変形ユニットを示す側面図である。
【図５】本発明の他の実施態様に従ったパンチ型の変形ユニットを示す側面図である。
【図６】図４におけるようなパンチ型の変形ユニットを示す断面図であり、変形ユニットが印刷機のシート経路内にどのように配置されるかを示している。
【図７】シート印刷機を示す側面図である。
【発明を実施するための形態】
【００２８】
以下の記載中に使用される場所表示及び方向表示は、主に図面中の例証に関し、よって、限定的であると見られるべきではない。しかしながら、それらは好適な最終的な配置にも関する。
【００２９】
図７は、フィーダ２と、輸送装置３と、印刷ユニット４と、定着ユニット５と、出力トレイ６とを含む、シート印刷機１の概略的な側面図を示している。
【００３０】
フィーダ２は、個別のシートを輸送装置３に送り込み得る如何なる種類であってもよい。もちろん、例えば、異なるシートを輸送装置３に送り込み得るよう、幾つかのフィーダ２を提供することも可能である。輸送装置３は、印刷を許容するために、送り込まれるシートを受け取り且つ印刷ユニット４を超えて前記シートを輸送するのに適したユニットを含む。ユニットは既知の方法で循環する輸送ベルトを含み、シートを輸送ベルトに静電的に付着し得る。印刷ユニット４は、例えば、電気写真印刷ユニット又はインクジェット印刷ユニットのような、如何なる印刷ユニットであってもよい。１つの印刷ユニット４だけが示されているが、例えば、輸送装置３に隣接して幾つかの印刷ユニット４を設けることも可能である。定着ユニット５は、シートが出力トレイ６に送られる前に、シートに塗布される印刷媒体を定着し且つ／或いは乾燥するのに適した如何なる種類であってもよい。
【００３１】
出力トレイ６は、図３に示されるような所謂プレート状出力トレイである。出力トレイ６は、図３中に両矢印によって示されるように、特に例示されていない昇降機構を用いて上下に移動し得る傾斜支持体１０を有する。その上、印刷機１の出力トレイ６は、支持体１０に隣接して配置される当接部１１を有する。図３中に示されるように支持体１０上に配置されるシート１３が当接部１１に対してスライドするよう、支持体１０は当接部１１に向かって傾斜される。その上、当接部１１の上に、出力トレイ６は輸送ローラ１４の対を含み、輸送ローラは、図３に示されるように、それらの間に、シート１３のための輸送ニップを形成する。図６に示されるように、矢印Ｃの方向に印刷機１から支持体１０上にシートを輸送するために、２対の輸送ローラ１４が設けられ、輸送ローラ１４はそれらの間にシート１３を受け入れ且つ輸送するよう配置される。
【００３２】
加えて、出力トレイ６は、パンチ型の変形ユニット１６を含む。変形ユニット１６は、例えば、図６に示され、対の輸送ローラ１４の間に配置される。図４は、駆動素子１８とスタンプ１９とを含む、パンチ型の変形ユニット１６の第一の例示的な実施態様を示している。図４中に両矢印Ｂによって示されるように、駆動素子１８を介してスタンプ１９を上下に移動し得る。スタンプ１９は、スタンプ１９が下向きに移動されるときに、スタンプ１９が輸送ローラ１４によって定められるシートの動作経路と交差するよう配置される。そうするために、駆動素子１８は、例えば、スタンプ１９用の空気圧又はピエゾ駆動装置（ドライブ）を含み得る。もちろん、他の駆動装置も着想可能である。
【００３３】
下向きの動作中、シート１３がスタンプの下に配置されるならば、シート１３の部分地域が打ち抜かれ且つ曲げられる。そのようにすることで、部分地域は、部分地域が接触線に沿ってシートと接触し続けるような方法で常に打ち抜かれる。そうするために、スタンプ１９は、適切な方法で、Ｖ形状を形成するよう互いに対して配置される２つのブレードを有し（ブレードは２つの直線に沿ってシート１３の部分地域を打ち抜く）、且つ、打抜き地域が曲げられることを保証するブレード間に配置される地域を有する。スタンプ１９の下に基材(matrix)を選択的に配置することも可能であり、基材はシートのための対向支持体として作用し、確実な打抜きを保証する。その後、以下に詳細に説明されるように、打ち抜かれ且つ曲げられた部分地域を備えるそのようなシートを分割シート１３として使用し得る。
【００３４】
図１及び２は、上述の方法で打ち抜かれた部分地域を備えるそのような分割シート１３’の概略的な平面図及び概略的な側面図をそれぞれ示しており、部分地域は曲げられ、フック形状の変形部２４になる。分割シート１３’の横方向において見られるとき、変形部２４は中央に設けられる。もちろん、横方向に見られるとき、変形部２４を分割シート１３の中央から離れて設け得る。いずれにしても、変形部２４が輸送ローラ１４によって修正されないよう、変形部２４はシート１３の横方向において対の輸送ローラ１４に対して片寄らされる(offset)ように設けられなければならない。（図３中に矢印Ｃによって示される）分割シートの輸送方向において見られるとき、変形部２４は長手方向において前方端部領域に設けられる。好ましくは、変形部は、シートの前方３分の１、具体的には、前方４分の１内にある。情報フィールド２６がシートの前方端部と変形部２４との間に示されており、例えば、（打抜き及び変形動作に先立ち）印刷ジョブに関する情報を印刷し得る。
【００３５】
図５は、パンチ型の変形ユニット１６の代替的な実施態様を示しており、そこでは、同一又は類似の素子のために、図４におけると同じ参照番号が使用される。再び、パンチ型の変形ユニット１６は、駆動素子１８と、図４と同じ構造を本質的に有し得るスタンプ１９とを含む。駆動措置１８は、その外側円周上に、スタンプ１９を備えるローラ２８を含む。矢印Ｄによって示されるように、対応する駆動装置（例示されていない）を介してローラ２８を選択的に回転し得る。ローラ２８は、開始又は休止位置を有し、スタンプ１９は、打抜き動作が行われないときにローラ２８の下でローラ２８を越えてシートを自由に輸送し得るよう、開始又は休止位置においてシート１３の動作経路の外側に位置付けられる。しかしながら、ローラ２８の選択的な回転の故に、シートの部分地域を再び打ち抜き且つ変形するために、スタンプ１９がシート１３内に突入することも可能である。その後、分割シート１３’としてシートを使用し得る。
【００３６】
以下、図面を参照して、印刷機１の操作、具体的には、印刷ジョブを分割する方法を詳細に説明する。
【００３７】
先ず、シート１３はフィーダ２から輸送され、印刷機１の印刷ユニット４を越え、シート１３は印刷ジョブに従って印刷ユニット４で印刷される。そのような印刷ジョブは、従来技術において既知であるように、同一に又は別個に印刷される無作為な数のシートを有し得る。シートを印刷した後、シート１３は定着ユニット５を通じて案内され、印刷媒体は定着ユニットで既知の方法で定着され、次に、シートは出力トレイ６に輸送される。具体的には、シート１３は、シートが当接部１１から特定距離で支持体１０上に着床し、次に、当接部１１に対してスライドし、そうすることにおいて、積重ね１５を形成するような方法で、輸送ローラ１４を介して傾斜支持体上に輸送される。（１つの印刷ジョブと考えられるべき事前指定数のシートによって定められる）印刷ジョブのシートに続き、分割シート１３’として作用すべき他のシート１３がフィーダ２から輸送され、印刷ユニット４を越え、情報フィールド２６内で選択的に印刷される。定着ユニット５内での印刷媒体の潜在的な定着の後、シート１３は出力トレイ６に輸送される。次に、変形部２４を備える分割シート１３’を生成するために、出力トレイ６の領域において、スタンプ１９がシート１３内に突入し、よって、シートの対応する部分地域を打ち抜き且つ変形するような方法で、パンチ型の変形ユニット６が対応する制御ユニットを介して作動される。この打抜き操作は、シート１３を停止することなく、シート１３がパンチ型の変形ユニット６を越えて移動する間に起こるのが好ましい。従って、可能であれば、シートの移動における停滞を避けるために、或いは、そのような停滞の危険性を少なくても低減するために、図４に従った実施態様において、スタンプ１９の上下動は適切な速度で行われなければならない。そうするために、スタンプ１９は、厳格な上下動に加えて、シート１３の移動と共に横方向移動を選択的に行う。回転式スタンプ１９を含む実施態様（図５）において、回転はシート１３の移動と可能な限り同期して行われなければならない。打抜き及び変形操作のために、シート１３の輸送速度を遅くし、引き続き、支持体１０上への出力のために、シートを再び加速することも可能である。
【００３８】
次に、変形部２４が積重ね１５の前方縁部を越えて移動されるよう、分割シート１３’は輸送ローラ１４を介して前の印刷ジョブのシート１３の所謂形成スタック（形成積重ね）１５上に排出される。引き続き、分割シート１３’は接部１１の方向に後退（スライドバック）し、然る後、当接部１１に対する分割シート１３’の完全な後退が防止されるよう、変形部２４は前の印刷ジョブのシート１３の積重ね１５の一方の側にフックされるようになる。この結果、分割シート１３’は前の印刷ジョブのシート１３の積重ね１５から特定距離だけ突出し、よって、印刷ジョブの終了を印す。それに続き、新しい印刷ジョブを開始してもよく、この新しい印刷ジョブのシート１３は上記方法で再び処理され、出力トレイ６に輸送される。そこでは、シート１３が当接部１１に対してスライドするような方法で、シート１３は所謂形成スタック１５上に配置される。図３は、３つの印刷ジョブのシート１３が適切な分割シート１３’によって分割される状況を示している。図３から明らかであるように、操作者がここで印刷ジョブに関する被印刷情報を容易に検出し得るよう、選択的に印刷される分割シート１３’の情報フィールド２６は、積重ね１５の残部に対して突出する。
【００３９】
上記記載は、印刷ジョブのために使用されるシートと同じシートを分割シート１３’のために使用し得ることを明らかにしている。シートの部分地域を打ち抜き且つ変形することによって、並びに、出力トレイ６の傾斜支持体１０上への対応する出力によって、印刷ジョブの間に分割を印すことが可能である。
【００４０】
例示的な実施態様を用いて本発明を詳細に記載したが、本発明は上記実施態様に限定されない。印刷機の当業者はこの発明の範囲内で様々な修正を行い得る。
【００４１】
具体的には、部分地域が２つの側で打ち抜かれ、第三の側に沿って曲げられて変形部２４にならないよう、スタンプ１９は、異なる形状を有し得る。例えば、Ｖ形状に配置される２つのブレードの代わりに、スタンプ１９は、Ｕ形状を形成するよう３つのブレードも有し得る。重要なことは、部分地域が完全に打ち抜かれず、変形を許容することだけである。例えば、シート１３の横方向縁部の領域では、シートの部分地域の変形を可能にするために、１回の切断が十分であり得る。シート内に幾つかの変形部２４をもたらし得るよう、１つよりも多くのパンチ型の変形ユニット６を設けることも可能である。支持体１０は、シートが輸送ローラを通じてそれらの供給方向に対して後退するような方法で傾斜されるが、例えば、適切に異なる方法で変形部を構成し得るよう、シートが供給方向に対して横方向（排出方向に対して横方向）に対応する当接部に対してスライドするように、支持体が異なる傾斜を有することも可能である。その上、異なる実施態様の互換性のある機能を互いに組み合わせ、或いは、互いのために交換し得る。
【図１】
2012522699.tif 000003
【図２】
2012522699.tif 000004
【図３】
2012522699.tif 000005
【図４】
2012522699.tif 000006
【図５】
2012522699.tif 000007
【図６】
2012522699.tif 000008
【図７】
2012522699.tif 000009
【国際調査報告】
2012522699.tif 000010
2012522699.tif 000011